(57)【要約】 【課題】  従来の２ボル式入力におけるキーボードからの文字入力は、合成子音や合成母音の入力は２個の母音を除き毎回、合成作業をしながら入力していた。【解決手段】  合成子音や合成母音を最初から一つの部位として合成し、該一つの部位として合成された部位をシフトキーの操作で選択可能にしたハードやソフトのキーボードや表示されているキーからフリック機能により１個又は複数個の部位を選択可能にする。【選択図】  図１
2019088303.tif 000002
【特許請求の範囲】
【請求項１】
【表１】
2019088303.tif 000015
「表１」で示す１０種の部位による母音字母を「母音１」とし、
【表２】
2019088303.tif 000016
「表２」で示す１１種の部位による合成母音（二つ以上の母音字母からなる母音）を「母音２」とし、該母音２と母音１を合わせて「母音」として、
【表３】
2019088303.tif 000017
「表３」で示す９種の部位による子音字母（激音以外）を「子音１」とし、
【表４】
2019088303.tif 000018
「表４」で示す５種の部位による子音字母（激音）を「子音２」とし、
【表５】
2019088303.tif 000019
「表５」で示すように、同じ子音を二重に組合せて、パッチムとして合成した部位を１個の部位とした５種の部位による子音（二重子音）字母（濃音）を「子音３」とし、該子音３と子音１と音２を合わせて「子音」として、パッチムとして使用する子音において、子音１を「パッチム１」とし、子音２を「パッチム２」とし、子音３の
【表６】
2019088303.tif 000020
「表６」で示す２種の部位による子音（二重子音）字母（濃音）を「パッチム３」とし、該パッチム３のように同じ子音１が二重に組合せて合成されているのとは別に、子音１や子音２を組合せて一つのパッチムとして合成された部位が、
【表７】
2019088303.tif 000021
「表７」で示す１１種の部位で、該１１種の部位を「合成パッチム」とし、該合成パッチムとパッチム１とパッチム２とパッチム３を合わせて「パッチム」の各部位として、１０種（母音１）の母音字母からなる２１種の母音（母音１＋母音２）と１４種（子音１＋子音２）の子音字母からなる１９種の子音（子音１＋子音２＋子音３）の合成や組合せにより一文字が構成され、２ボル式として表示されているキーボードを「表キーボード」とし、該表キーボードのキーを「表キー」として、表キーボード内のシフトキーの操作により表示されるキーボードを「裏キーボード」とし、該裏キーボード内で表キーボードと同じ様な配置で表示されている各キーを「裏キー」として、２ボル式による文字入力おけるキーボードにおいて、全ての一文字を構成するには５１種の部位が必要で、該５１種の部位を「全部位」とし、表キーボードには一回のタップで入力できる２６種の部位が表示されていて、該表示されている２６種の部位を「表部位」とし、全部位から表部位を引いて、一回のタップで入力できない部位を「裏部位」とし、
【表１２】
2019088303.tif 000022
「表１２」で示す５種の部位を「複用部位」とし、裏キーボードには、同じ複用部位を二つ組合わせて合成した「表５」と「表８」の７種の裏部位が表示されていて、該表示されている７種の部位を「別途部位」とし、「表７」と「表１１」による１８種の部位を「増業部位」としたがキーに接触した位置で開放する作業を「タップ」とし、該タップにより選択されたキーに表示（設定）している部位（子音、母音、パツチム）がカーソルに表示されるが、キー操作によりカーソルに表示される工程を「入力」とし、
キーの周辺に１個又は、放射状に分割された複数個の領域が取り囲むように潜在的に設定され、該設定された１個又は、複数個の潜在的領域には任意による部位が設定されていて、該任意の部位が設定されている潜在的領域を「潜在キー」とし、該潜在キーに取り囲まれて表キーと共存し、タップ操作により入力される部位を表示しているキーを「複合キー」とし、該複合キーに接しながら移動し、該移動後に接続を開放した位置が潜在キー内の場合、該開放位置にあった潜在キーに設定してある部位を入力する工程を「フリック」とし、該フリックにおいて、複合キーを取り囲むように１個の潜在キーが設定され、該設定されている潜在キーには、複合キーと共存する表キーと同じ位置にある裏キーに表示（設定）されている同じ部位が設定されたフリックの設定を「裏選フリック」とし、複合キーを取り囲むように１個の潜在キーが設定され、該設定されている潜在キーには、任意の部位が設定されているフリックの設定を「単選フリック」とし、複合キーを取り囲むように放射状に分割された複数個の潜在キーが設定され、該設定されている各潜在キーには、任意の部位が設定されているフリックの設定を「複選フリック」とし、該複選フリックと単選フリック混在した状態で設定されたフリックを「混在フリック」として、各フリックにより部位を入力するが複合キーに設定してある部位を中心に、各フリックで選択可能な潜在キーや潜在キーの位置や方向が目視できるよう、部位を含む案内の表示を「フリック案内」とし、  
複合キーと共存する表キーと同じ位置にある裏キーに設定してある部位を複合キーに追加表示が可能で、複合キーの選択により、任意に設定されているフリック案内が表示され、裏選フリックにより部位を入力するや  
単選フリックで入力する任意により設定された部位が複合キーに追加表示が可能で、任意に設定されているフリック案内が表示され、裏選フリックにより部位を入力するや  
複選フリックで入力する任意により設定された各部位が複合キーに追加表示が可能で、任意に設定されているフリック案内が表示され、複選フリックにより部位を入力するや
各複合キーに裏選フリックや単選フリックや複選フリックが混在する状況で設定されたキーボードおいて、任意に設定されているフリック案内が表示され、各設定された部位がフリックにより入力されるや
裏キーボードにおいては、各裏キーに対し、任意により裏部位を重複することなく設定（表示）し入力可能にするや
ハードのキーボードにおいては、単独でのキーの押し下げ操作で、該押し下げたキーに表示（設定）してある表部位を入力するが、シフトキーの操作を共有しながらキーを押し下げ操作る事で該押し下げたキーに任意により設定（表示）してある裏部位を入力可能するが以上の裏部位やフリック機能を具備する事を特徴とするフリック機能の具備とシフトキーによる選択文字変更の韓国語２ボル式入力。
【発明の詳細な説明】
【技術分野】
【０００１】
本発明は、韓国語入力における「２ボル式」においてのフリック機能の具備とシフトキーによる選択文字を変更する事に関するものである。
【背景技術】
【０００２】
韓国語の文字構成において、子音と母音により構成された一文字と、子音と母音と子音によるパッチムにより構成された一文字により成り、一文字を構成する子音や母音やパッチムの各部分を一つの「部位」とし、各部位には、
【表１】
2019088303.tif 000003
「表１」で示す１０種の部位による母音字母を「母音１」とし、
【表２】
2019088303.tif 000004
「表２」で示す１１種の部位による合成母音（二つ以上の母音字母からなる母音）を「母音２」とし、該母音２と母音１を合わせて「母音」として、
【表３】
2019088303.tif 000005
「表３」で示す９種の部位による子音字母（激音以外）を「子音１」とし、
【表４】
2019088303.tif 000006
「表４」で示す５種の部位による子音字母（激音）を「子音２」とし、
【表５】
2019088303.tif 000007
「表５」で示すように、同じ子音を二重に組合せて、パッチムとして合成した部位を１個の部位とした５種の部位による子音（二重子音）字母（濃音）を「子音３」とし、該子音３と子音１と音２を合わせて「子音」として、パッチムとして使用する子音において、子音１を「パッチム１」とし、子音２を「パッチム２」とし、子音３の
【表６】
2019088303.tif 000008
「表６」で示す２種の部位による子音（二重子音）字母（濃音）を「パッチム３」とし、該パッチム３のように同じ子音１が二重に組合せて合成されているのとは別に、子音１や子音２を組合せて一つのパッチムとして合成された部位が、
【表７】
2019088303.tif 000009
「表７」で示す１１種の部位で、該１１種の部位を「合成パッチム」とし、該合成パッチムとパッチム１とパッチム２とパッチム３を合わせて「パッチム」の各部位として、１０種（母音１）の母音字母からなる２１種の母音（母音１＋母音２）と１４種（子音１＋子音２）の子音字母からなる１９種の子音（子音１＋子音２＋子音３）の合成や組合せにより一文字が構成され、子音と母音の組合せによる２個の部位でできる一文字を「２部字」とし、該２部字の下にパッチム１とパッチム２の組合せによる３個の部位でできる一文字を「３部字」とし、２部字の下にパッチム３と合成パッチムの組合せによる３個の部位でできる一文字を「４部字」として、韓国語による文字入力において、英字によるＱＷＥＲＴＹ 配列と同じキー配列を共有し、左側に子音、右側に母音のキーを配置し、シフトキーにより表５と
【表８】
2019088303.tif 000010
「表８」が選択でき、ハードによるキーボードにおいては左右の指を交互に操作しながら、子音と母音を組合せて、や一文字を構成しながら入力するが、２部字は二回のキー操作で入力でき、３部字では三回のキー操作で、４部字では四回のキー操作で入力できるが、子音の入力が子音３の場合や母音が「表８」の場合は、シフトキーや合成するキー操作の追加が必要で、入力しようとする母音が母音２の場合で、キーボードに表示のない「表８」以外の母音は、母音１が表示してあるキー操作により合成し、合成パッチムもパッチム１の組合せによるキー操作により合成しながら一文字を構成して入力する
【表９】
2019088303.tif 000011
「表９」で示す「２ボル式」があった。【０００３】
韓国語の文字入力において、最初に、子音１と子音２と子音３による１９個の子音が表示されたキーボードから、一回目の入力として、各子音から一つを選択し、該選択と同時に、母音１と母音２による２１個の母音が表示されたキーボードに変化し、該変化したキーボードから、二回目の入力として、各母音から一つを選択し、該選択と同時に、パッチム１とパッチム２とパッチム３と合成パッチムによる２７個のパッチムが表示されたキーボードに変化し、該変化したキーボードから、三回目の入力とするが、入力しようとする文字が２部字の場合は、スペースキーを選択するが、３部字や４部字を入力する時は、表示されたパッチムの部位から一つを選択する事で、一文字を構成して入力する工程が終了し、該入力の終了と同時に、最初の子音１と子音２と子音３が表示されたキーボードに変化する事で随時、新しい一文字を入力していく方法で、２部字に仮としたパッチムの「スペースキー」を選択し、４部字の２個の子音で構成したパッチムを一つの部位とすることで、全ての一文字を３部字として想定し、ハードのキーボードを含み、全ての一文字を三回のキー操作で入力する「三回式」入力方法があった（特許文献１参照）。【０００４】
ＱＷＥＲＴＹ 配列やＱＷＥＲＴＹ 配列と同じキー配列を共有したキーボードにおいては、同じキーボード上に表示してある文字や選択したキーと同じ系統の文字や予測単語等をフリックで表示し、該フリックの案内で潜在しているキーを選択して入力していた。
【先行技術文献】
【特許文献】
【０００５】
【特許文献１】国際出願番号ＰＣＴ／ＪＰ２０１５／０８２４７７
【発明の概要】
【発明が解決しようとする課題】
【０００６】
韓国語の文字の入力において、子音による１９種の部位と母音による２１種の部位とパッチムによる２７種の部位が存在するが、キー入力においては子音と併用するパッチムの部位が１６種あり、実質的にパッチムとして選択に必要な部位は１１種で、合計で５１種の部位により一文字が構成されているが、２ボル式として表示されているキーボードを「表キーボード」とし、該表キーボードのキーを「表キー」として、表キーボード内のシフトキーの操作により表示されるキーボードを「裏キーボード」とし、該裏キーボード内で表キーボードと同じ様な配置で表示されている各キーを「裏キー」として、２ボル式における表キーボードは、１０種の母音１と
【表１０】
2019088303.tif 000012
「表１０」で示す２種の母音と、９種の子音1と５種の子音２による２６種のキーにより構成されていて、シフトキーの操作により、裏キーボードが選択され、該選択された裏キーボードから別途として５種の子音３と「表８」の２種の母音による７種の選択が可能であるが、表キーボードに表示していない残りの
【表１１】
2019088303.tif 000013
「表１１」で示す７種の母音と、「表７」の１１種の合成パッチムの１８種の部位を毎回、二回のキー操作による合成作業を実施しながら入力しているが、２ボル式では二回のキー操作で入力できる一文字もあるが圧倒的に少なく、三回式入力方法のように三回だけで確実に一文字が入力できず、ほとんどの文字入力に伴う操作は三回以上必要で、三回式では、全ての一文字を入力するには必ず三回のキー操作が必要で２ボル式のように二回のキー操作で入力できる一文字は無かった。
【課題を解決するための手段】
【０００７】
２ボル式による文字入力おけるキーボードにおいて、全ての一文字を構成するには５１種の部位が必要で、該５１種の部位を「全部位」とし、表キーボードには一回のタップで入力できる２６種の部位が表示されていて、該表示されている２６種の部位を「表部位」とし、全部位から表部位を引いて、一回のタップで入力できない部位を「裏部位」とし、
【表１２】
2019088303.tif 000014
「表１２」で示す５種の部位を「複用部位」とし、裏キーボードには、同じ複用部位を二つ組合わせて合成した「表５」と「表８」の７種の裏部位が表示されていて、該表示されている７種の部位を「別途部位」とし、「表７」と「表１１」による１８種の部位を「増業部位」とした。【０００８】
キーに接触した位置で開放する作業を「タップ」とし、該タップにより選択されたキーに表示（設定）している部位（子音、母音、パツチム）がカーソルに表示されるが、キー操作によりカーソルに表示される工程を「入力」とする。【０００９】
キーの周辺に１個又は、放射状に分割された複数個の領域が取り囲むように潜在的に設定され、該設定された１個又は、複数個の潜在的領域には任意による部位が設定されていて、該任意の部位が設定されている潜在的領域を「潜在キー」とし、該潜在キーに取り囲まれて表キーと共存し、タップ操作により入力される部位を表示しているキーを「複合キー」とし、該複合キーに接しながら移動し、該移動後に接続を開放した位置が潜在キー内の場合、該開放位置にあった潜在キーに設定してある部位を入力する工程を「フリック」とし、該フリックにおいて、複合キーを取り囲むように１個の潜在キーが設定され、該設定されている潜在キーには、複合キーと共存する表キーと同じ位置にある裏キーに表示（設定）されている同じ部位が設定されたフリックの設定を「裏選フリック」とし、複合キーを取り囲むように１個の潜在キーが設定され、該設定されている潜在キーには、任意の部位が設定されているフリックの設定を「単選フリック」とし、複合キーを取り囲むように放射状に分割された複数個の潜在キーが設定され、該設定されている各潜在キーには、任意の部位が設定されているフリックの設定を「複選フリック」とし、該複選フリックと単選フリック混在した状態で設定されたフリックを「混在フリック」として、各フリックにより部位を入力するが複合キーに設定してある部位を中心に、各フリックで選択可能な潜在キーや潜在キーの位置や方向が目視できるよう、部位を含む案内の表示を「フリック案内」とした。【００１０】
複合キーと共存する表キーと同じ位置にある裏キーに設定してある部位を複合キーに追加表示が可能で、複合キーの選択により、任意に設定されているフリック案内が表示され、裏選フリックにより部位を入力する。【００１１】
単選フリックで入力する任意により設定された部位が複合キーに追加表示が可能で、任意に設定されているフリック案内が表示され、裏選フリックにより部位を入力する。【００１２】
複選フリックで入力する任意により設定された各部位が複合キーに追加表示が可能で、任意に設定されているフリック案内が表示され、複選フリックにより部位を入力する。【００１３】
各複合キーに裏選フリックや単選フリックや複選フリックが混在する状況で設定されたキーボードおいて、任意に設定されているフリック案内が表示され、各設定された部位がフリックにより入力される。【００１４】
裏キーボードにおいては、各裏キーに対し、任意により裏部位を重複することなく設定（表示）し入力可能にする。【００１５】
ハードのキーボードにおいては、単独でのキーの押し下げ操作で、該押し下げたキーに表示（設定）してある表部位を入力するが、シフトキーの操作を共有しながらキーを押し下げ操作る事で該押し下げたキーに任意により設定（表示）してある裏部位を入力可能するが以上のフリック機能を具備する事を特徴とするフリック機能の具備とシフトキーによる選択文字変更の韓国語２ボル式入力。
【発明の効果】
【００１６】
２ボル式におけるキー入力において、入力する文字により異なるが、フリック機能の具備により、従来のキー操作数を減らして一文字の入力が可能になった。
【図面の簡単な説明】
【００１７】
【図１】スマートフォンにおける縦表示のキーボードに英字キー「Ｔ」に相当する位置の複合キーを選択し、本願による裏選フリック案内が表示された状態から、圧迫痕が複合キー上部に表示された一部を省略した縦表示入力画面図
【図２】子音３と「表８」が表示された複合キー操作により表示されるに図１と同様のフリック案内図
【図３】上段が従来の裏キーボードでの裏部位の表示を維持し、残りの裏部位を重複することなく表示（設定）してあり、下段が裏部位を重複しないようホームポジションを意識して裏キーボードに配置した比較図
【図４】図３の下段と同じ裏キーボードと共有する位置に表示してある部位をキーの右上にシフト操作により選択可能な裏部位を表記したパソコン用のハードキーボード一部抜粋図
【図５】本願による単選フリックの具備により各複合キーに選択可能な裏部位を表示した表キーボード図
【図６】スマートフォンにおける縦表示のキーボードに英字キー「Ｑ」に相当する位置の複合キーを選択し、該選択によりフリック案内が表示された一部を省略した縦表示入力画面図
【図７】図６と同じ複合フリックの具備により、フリック案内が１５個表示され、フリック案内における中央には複合キーに設定されている部位が表示してあり、周辺にはフリックで選択可能な部位が表示されているフリック案内図
【発明を実施するための形態】
【実施例１】
【００１８】
図１は、スマートフォンにおける縦方向の入力画面で、上部左側に入力中のカーソルが表示してあり、その下側は一部を省略してあり、その下側中央に丸い形状で中心が四角い枠で構成された裏選フリックによるフリック案内が表示してあり、丸い形状内の上部には裏選フリックで入力可能な部位が表示してあり、四角い枠内にはタップ操作で選択された複合キーに設定されていた部位が表示してあり、その下側には裏選フリックにより選択可能な部位が複合キー表面に表示してあり、表キーを含む案内付表キーボードが表示してあり、該案内付表キーボードには指で接している痕跡を表す接触表示痕が表示してある。【００１９】
図２は、丸い形状で中央に四角い枠が設定された裏選フリックによるフリック案内が上に５個と下に２個表示してあり、各フリック案内の丸い形状の上側には裏選フリックで入力できる裏部位が表示してあり、中央の四角い枠には選択された複合キーのタップにより入力される部位が表示してある入力画面図である。【００２０】
従来、別途部位はシフトキーの操作や、同じキーを２度タップして入力していたが、図１で示すように、入力しようとする別途部位の部位が表示してある複合キーに接触し、該接触により複合キーの全体の表示色（網模様）が変化し、該変化と同時にフリック案内が上方向に表示され、複合キーに接していた指を上方向に移動し、該移動により圧迫されていた痕跡が接触表示痕として表示されていて、該表示と同時にフリック案内の外側の丸い状態で図で示す部分の表示色（網模様）が変化し、該変化により裏選フリック操作により、表示色（網模様）が変化した複合キーの上部に表示してある部位が選択されたことが確認でき、接触表示痕で示す指を開放する事で、パッチムの合成操作なしにカーソルに表示してある一文字が入力できるが、裏選フリックでは、指を離す位置は複合キーの領域内で接した位置から３６０度の方向へ移動後の開放で設定された部位が入力される。
【実施例２】
【００２１】
図３は、上部が表キーボード内のキーによる２回のキー操作により合成する「表５」と「表８」による７個の部位を一つの部位として選択可能にした従来の裏キーボードに対して、残りの裏部位を重複することなく表示（設定）してあり、下部は表キーボード内のキーによる２回のキー操作により合成する「裏部位」による２５個の部位を一つの部位として重複することなく選択可能にした裏キーボードである。【００２２】
図４は、キーの右上部に裏部位が表記されていて、シフトキーの操作により表示されている裏部位が選択できるパソコン用のＱＷＥＲＴＹ配列によるキーボード内における英字キー周辺の一部抜粋図である。【００２３】
図３で示すように、表キーボードでは２回のキー操作により入力していた裏部位を従来の裏キーボードに重複することなく各部位を配置し設定する事で表キーボードでの２回のキー操作なしに、裏キーボードから１回のキー操作で入力可能にした、本発明の設定であるが、一旦、シフトキーで変更しての裏キーボードからのキー操作では利便性に欠けるが、図４のハードのキーボードによるキー操作においては、従来は、２回のキー操作で合成していた裏部位だが、希望する裏部位（絵文字あり）が表記されているキーとシフトキーを同時に操作する事で、時間的には１回の操作と変わらずに、選択した一つの裏部位を入力可能にして、裏部位を入力するキー回数を飛躍的に省略している。
【実施例３】
【００２４】
図５は、単選フリックにより選択可能な部位が各複合キーに表示してある案内付表キーボードの図である。【００２５】
図５では、裏キーボードの設定に関係なく、表キーボード内で単選フリックにより任意により設定された裏部位を選択可能にした案内付表キーボードで、該案内付表キーボード内の複合キーには単選フリックで選択する部位が表示してあり、単選フリックの操作は裏選フリックと同じ操作により実施される。
【実施例４】
【００２６】
図６は、図１と同じスマートフォンにおける縦方向入力画面で、上部左側に入力中のカーソルが表示してあり、その下側は一部を省略してあり、その下側中央に四角い形状で中心が四角い枠で構成された複選フリックにより表示されるフリック案内が表示してあり、該フリック案内の中心の四角い枠の周辺には、表示されている方向にずらすことで、複選フリックで入力可能な部位が上下と右側に複数個表示してあり、中心の四角い枠内には複合キーのタップで入力可能な部位が表示してあり、その下側には、複選フリックで選択できる部位は表示してないが、複選フリックの機能を具備した複合キーにより構成された表キーボードが表示してある入力画面図である。【００２７】
図７は、四角い形状で中心が四角い枠で構成されたフリック案内で、各中心の四角い枠には複合キーのタップで入力可能な部位が表示してあり、フリック案内の中心の四角い枠周辺にはフリック操作により選択可能な部位が１個又は複数個表示されている。【００２８】
図６のフリック案内には複選フリックで選択できる部位が表示してあるが、該表示してある部位の方向に、複合キーに接した指を移動後の開放で選択可能で、図７のフリック案内は、複選フリックや単選フリックの操作により表示されるフリック案内が混在した状態で配置してあり、複選フリックによる図６のフリック案内とは別に、単選フリックによるフリック案内に表示してある選択可能な部位は１個で、該１個の部位を選択するには複合キーに接した指を３６０度の方向に移動後の開放で選択可能である。【００２９】
従来、裏部位はシフトキーの操作で裏キーボードからの入力や、子音３を合成する同じキーの２度タップや、増業部位を合成する違う子音同士のキーの２回タップや違う母音同士のキーを２度タップして、裏部位を入力していたが、本発明の複選フリック案内により、迷うことなく、裏部位を一回の複選フリック操作により入力可能にした。
【符号の説明】
【００３０】
１ｔ        単選フリック案内
２ｑ        複選フリック案内
３ａ、３ｂ  案内付表キーボード
４ａ、４ｂ  縦方向入力画面
５          表キーボード
６ｔ、６ｑ  複合キー
７          接触表示痕
８ａ、８ｂ  裏キーボード
【図１】
2019088303.tif 000023
【図２】
2019088303.tif 000024
【図３】
2019088303.tif 000025
【図４】
2019088303.tif 000026
【図５】
2019088303.tif 000027
【図６】
2019088303.tif 000028
【図７】
2019088303.tif 000029
【国際調査報告】
2019088303.tif 000030
2019088303.tif 000031